(57)【要約】【課題】放熱性に優れていて温度上昇が少なく、メンテナンス性に優れていて交換が容易なヒートシンク・レンズ一体型ＬＥＤユニット及びこれを含む街灯用照明器具を提供する。【解決手段】第一の面が略平面状で、前記第一の面に対向する第二の面に長尺状のフィン複数個が並列して設けられているヒートシンクと、前記第一の面に積層された熱伝導性樹脂シートと、前記熱伝導性樹脂シートのうちの前記第一の面とは反対側の面に積層された樹脂基板と、前記樹脂基板のうちの前記熱伝導性樹脂シートとは反対側の面に配列されたＬＥＤ素子複数個と、前記ＬＥＤ素子複数個のそれぞれを覆う配向性レンズ複数個を含むレンズ体と、を具備することを特徴とするヒートシンク・レンズ一体型ＬＥＤユニット。【選択図】図１
2017079312.tif 000002
【特許請求の範囲】
【請求項１】
第一の面が略平面状で、前記第一の面に対向する第二の面に長尺状のフィン複数個が並列して設けられているヒートシンクと、
前記第一の面に積層された熱伝導性樹脂シートと、
前記熱伝導性樹脂シートのうちの前記第一の面とは反対側の面に積層された樹脂基板と、
前記樹脂基板のうちの前記熱伝導性樹脂シートとは反対側の面に配列されたＬＥＤ素子複数個と、
前記ＬＥＤ素子複数個のそれぞれを覆う配向性レンズ複数個を含むレンズ体と、
を具備することを特徴とするヒートシンク・レンズ一体型ＬＥＤユニット。
【請求項２】
前記レンズ体が、前記第一の面に略平行な面においてみたときに、第一の方向に配列された配向レンズ複数個を含む第一のレンズ体、第二の方向に配列された配向レンズ複数個を含む第二のレンズ体、第三の方向に配列された配向レンズ複数個を含む第三のレンズ体、及び第四の方向に配列された配向レンズ複数個を含む第四のレンズ体のうちの少なくとも２種のレンズ体を含むこと、
を特徴とする請求項１に記載のヒートシンク・レンズ一体型ＬＥＤユニット。
【請求項３】
前記ヒートシンクがアルミニウム又はアルミニウム合金で構成されていること、
を特徴とする請求項１又は２に記載のヒートシンク・レンズ一体型ＬＥＤユニット。
【請求項４】
前記熱伝導性樹脂シートがシリコーン樹脂で構成されていること、
を特徴とする請求項１〜３のうちのいずれかに記載のヒートシンク・レンズ一体型ＬＥＤユニット。
【請求項５】
前記樹脂基板がエポキシ樹脂銅張積層板で構成されていること、
を特徴とする請求項１〜４のうちのいずれかに記載のヒートシンク・レンズ一体型ＬＥＤユニット。
【請求項６】
請求項１〜５のうちのいずれかに記載のヒートシンク・レンズ一体型ＬＥＤユニットを含む街灯用照明器具。
【発明の詳細な説明】
【技術分野】
【０００１】
本発明は、新規なヒートシンク・レンズ一体型ＬＥＤユニット及びこれを含む街灯用照明器具に関する。
【背景技術】
【０００２】
従来から、道路や舗道等の路面及び壁面を照明するための照明器具には、高輝度ランプや蛍光ランプが光源として用いられ、また、この光源の光を路面に均一に照射させるために反射鏡が使用されている。
【０００３】
これらの光源には１００Ｗを越える消費電力を必要とするものがあり、しかも寿命が短いことから、多大なコストがかかるとともに、環境負荷が大きいという問題があったため、消費電力が少なく長寿命であるＬＥＤ（発光ダイオード）素子を光源に用いた照明器具が街灯用に普及しつつある。
【０００４】
ここで、ＬＥＤ素子は、素子本体からの発熱や周囲の温度上昇によって劣化するおそれがあるものであり、適度の冷却を必要となるという問題があることから、例えば特許文献１（特開２００９−１８７９３０号公報）においては、照明装置の本体を溶融点の異なる多種類の金属材料で段階的に鋳造して、高い放熱効果を持たせた照明措置が提案されている。
【０００５】
また、例えば特許文献２（特開２０１１−１５９５６７号公報）においては、ＬＥＤ素子及び電源装置から生じる熱エネルギーを効率よく発散する街灯用照明器具を提供すべく、軽金属製ダイキャストで形成された筐体、筐体より熱伝導率が高い金属材料で形成された蓋体、及び蓋体に熱接触した基板を有する街灯用照明器具が提案されている。
【先行技術文献】
【特許文献】
【０００６】
【特許文献１】特開２００９−１８７９３０号公報
【特許文献２】特開２０１１−１５９５６７号公報
【発明の概要】
【発明が解決しようとする課題】
【０００７】
しかしながら、上記の特許文献１及び特許文献２において提案されている従来の街灯用照明器具においては、筐体や蓋体の材質や構造に着目してＬＥＤ素子からの発熱に関する問題を解消しようとするものであり、未だ改善の余地があった。
【０００８】
また、ＬＥＤ素子が劣化する等した場合には、ＬＥＤ素子を配列した基板を交換する必要が生じるが、従来の街灯用照明器具は、容易にＬＥＤ素子を配列した基板を交換できる構造を有しておらず、メンテナンス性に劣るという問題もあった。
【０００９】
そこで、本発明者は、従来はＬＥＤ素子を配列した基板や当該基板の取付部分については十分に検討されていなかった点に着目し、鋭意試作や実験を繰り返して検討した結果、放熱性に優れていて温度上昇が少なく、メンテナンス性に優れていて交換が容易なヒートシンク・レンズ一体型ＬＥＤユニット及びこれを含む街灯用照明器具を実現した。
【課題を解決するための手段】
【００１０】
即ち、本発明は、
第一の面が略平面状で、前記第一の面に対向する第二の面に長尺状のフィン複数個が並列して設けられているヒートシンクと、
前記第一の面に積層された熱伝導性樹脂シートと、
前記熱伝導性樹脂シートのうちの前記第一の面とは反対側の面に積層された樹脂基板と、
前記樹脂基板のうちの前記熱伝導性樹脂シートとは反対側の面に配列されたＬＥＤ素子複数個と、
前記ＬＥＤ素子複数個のそれぞれを覆う配向性レンズ複数個を含むレンズ体と、
を具備することを特徴とするヒートシンク・レンズ一体型ＬＥＤユニット、
を提供する。
【００１１】
このような構成を有する本発明のヒートシンク・レンズ一体型ＬＥＤユニットは、街灯用照明器具に用いた場合に、放熱性に優れて温度上昇が少なく、また、交換が容易でメンテナンス性に優れるものである。
【００１２】
上記の本発明のヒートシンク・レンズ一体型ＬＥＤユニットにおいては、前記レンズ体が、前記第一の面に略平行な面においてみたときに、第一の方向に配列された配向レンズ複数個を含む第一のレンズ体、第二の方向に配列された配向レンズ複数個を含む第二のレンズ体、第三の方向に配列された配向レンズ複数個を含む第三のレンズ体、及び第四の方向に配列された配向レンズ複数個を含む第四のレンズ体のうちの少なくとも２種のレンズ体を含むこと、が好ましい。
【００１３】
このような構成を有する本発明のヒートシンク・レンズ一体型ＬＥＤユニットは、必要最小限の一つのヒートシンク一体型ＬＥＤユニットで複数の方向に光を照射することができることから、街灯用照明器具に用いた場合に使用効率に優れる。
【００１４】
上記の本発明のヒートシンク・レンズ一体型ＬＥＤユニットにおいては、前記ヒートシンクがアルミニウム又はアルミニウム合金で構成されていること、が好ましい。
【００１５】
このような構成を有する本発明のヒートシンク・レンズ一体型ＬＥＤユニットは、街灯用照明器具に用いた場合に、より確実に放熱性に優れて温度上昇が少ないものである。
【００１６】
上記の本発明のヒートシンク・レンズ一体型ＬＥＤユニットにおいては、前記熱伝導性樹脂シートがシリコーン樹脂で構成されていること、が好ましい。
【００１７】
このような構成を有する本発明のヒートシンク・レンズ一体型ＬＥＤユニットは、街灯用照明器具に用いた場合に、更に確実に放熱性に優れて温度上昇が少ないものである。
【００１８】
上記の本発明のヒートシンク・レンズ一体型ＬＥＤユニットにおいては、前記樹脂基板がエポキシ樹脂銅張積層板で構成されていること、が好ましい。
【００１９】
このような構成を有する本発明のヒートシンク・レンズ一体型ＬＥＤユニットは、街灯用照明器具に用いた場合に、更により確実に放熱性に優れて温度上昇が少ないものである。
【発明の効果】
【００２０】
本発明によれば、放熱性に優れていて温度上昇が少なく、メンテナンス性に優れていて交換が容易なヒートシンク・レンズ一体型ＬＥＤユニット及びこれを含む街灯用照明器具を実現することができる。
【図面の簡単な説明】
【００２１】
【図１】本発明のヒートシンク・レンズ一体型ＬＥＤユニットの一実施形態の概略斜視図である。
【図２】図１に示すヒートシンク・レンズ一体型ＬＥＤユニット１を矢印Ｘの方向からみた概略図である。
【図３】図１に示すヒートシンク・レンズ一体型ＬＥＤユニット１の変形例の概略斜視図である。
【発明を実施するための形態】
【００２２】
以下、図面を参照しながら本発明のヒートシンク・レンズ一体型ＬＥＤユニットの一実施形態について説明するが、本発明はこれらのみに限定されるものではない。なお、以下の説明では、同一又は相当部分には同一符号を付し、重複する説明は省略することもある。また、図面は、本考案を概念的に説明するためのものであるから、理解容易のために、必要に応じて寸法、比又は数を誇張又は簡略化して表している場合もある。
【００２３】
図１及び図２に示すように、本実施形態に係るヒートシンク・レンズ一体型ＬＥＤユニット１は、ヒートシンク２と、熱伝導性樹脂シート４と、樹脂基板６と、樹脂基板６に配列されたＬＥＤ素子複数個（図示せず。）と、ＬＥＤ素子を覆う配向性レンズ８ａを含むレンズ体８と、を具備する。
【００２４】
このヒートシンク２は、従来公知の材料で構成されていてよく、例えば、アルミニウム又はアルミニウム合金の押出材等の材料で構成することができる。なかでも、ＬＥＤ素子のジャンクション温度を基準に最適な放熱材を選定するという観点から、Ａ  ６０６３Ｓを用いるのが好ましい。
【００２５】
ヒートシンク２は、ベースとなる部分の第一の面２ａが略平面状で、第一の面２ａに対向する第二の面に長尺状のフィン２ｂが複数個が間隔をあけて並列に設けられている。
【００２６】
ベースとなる部分の厚さ（図２におけるＬ１）については、本発明の効果を損なわない範囲で適宜選択すればよいが、高出力時のＬＥＤ素子の負担を軽減し、長寿命にするという観点から、例えば２〜１０ｍｍｍ、更には３〜５ｍｍであるのが好ましい。
【００２７】
隣接するフィン２ｂの数及び間隔は、本発明の効果を損なわない範囲で適宜選択すればよいが、本実施形態においては１２個のフィン２ｂが設けられており、ヒートシンク２の面積を効率良く小さくするという観点から、フィン２ｂの間隔は、例えば、３〜９ｍｍであるのが好ましい。
【００２８】
また、フィン２ｂの長さ（図２におけるＬ２）については、本発明の効果を損なわない範囲で適宜選択すればよいが、好適な放熱能を発揮するという観点から、例えば１５〜２５、更には１７〜２２ｍｍであるのが好ましい。
【００２９】
次に、ヒートシンク２の第一の面２ａに積層された熱伝導性樹脂シート４は、例えば接着剤で第一の面２ａに固定されており、熱伝導性を有するとともに絶縁性を有しており、長期にわたって使用可能なものであればよく、従来公知の材料を用いることができる。
【００３０】
熱伝導性樹脂シート４としては、熱伝導性樹脂シートを用いることができるが、なかでも、ＬＥＤ素子が長寿命であるため、長期使用に対する信頼性に優れるという観点から、例えば、シリコーン樹脂等の材料で構成することができる。例えば、シリコーン、オレフィン及び／又はアクリル等を含むポリマーマトリックスと、アルミナ、マグネシア及び／又は金属粉を含む熱伝導性フィラーと、耐熱向上剤及び／又は難燃剤等の添加剤と、を含む熱伝導性樹脂シート（放熱材）を用いるのが好ましい。
【００３１】
また、熱伝導性シート４の厚さとしては、本発明の効果を損なわない範囲で適宜選択すればよいが、ＬＥＤ素子とヒートシン２の絶縁性を考慮するという観点から、例えば、０．５〜２ｍｍ、更には１．０〜１．５ｍｍであるのが好ましい。
【００３２】
次に、熱伝導性樹脂シート４のうちの第一の面２ａとは反対側の面に積層された樹脂基板６は、例えば接着剤で熱伝導性樹脂シート４に固定されており、図示しないが、樹脂基板６のうちの熱伝導性樹脂シート４とは反対側の面にＬＥＤ素子複数個（本実施形態においては１６個）が配列されている。
【００３３】
この樹脂基板６としては、従来は放熱性が良いとの観点からアルミニウム基板が用いられていたが、本発明者が鋭意実験を繰り返して検討した結果、本実施形態のヒートシンク・レンズ一体型ＬＥＤユニット１においては樹脂基板のほうが放熱性に優れていることを見出した。即ち、本実施形態においては、樹脂基板６には、エポキシ樹脂銅張積層板等の材料を用いるのが好ましい。なかでも、ガラス布を基材としてエポキシ樹脂で覆ったものに、銅を張った積層板が好ましい。これを用いることにより、従来は金属製の基板が用いられたのに対し、同等以上の性能を発揮することができる。
【００３４】
また、樹脂基板６の厚さとしては、本発明の効果を損なわない範囲で適宜選択すればよいが、耐圧絶縁性の確保及び反りの抑制という観点から、例えば、０．８〜１．２ｍｍであるのが好ましい。
【００３５】
次に、本実施形態のヒートシンク・レンズ一体型ＬＥＤユニット１には、配向性レンズ８ａを４つ含むレンズ体８が４つ含まれている。したがって、ＬＥＤ素子は合計１６個含まれていることになり、上記の樹脂基板６には、図１に示すレンズ体８の配向性レンズ８ａに対応する位置に、ＬＥＤ素子が配列している。
【００３６】
ここで、レンズ体８に含まれる配向性レンズ８ａは、その下側に位置するＬＥＤ素子からの光を拡大して照射するものであり、所定の方向に照射することができるものである。図１における配向性レンズ８ａは全て、第一の面２ａに略垂直な方向ではなく、第一の面２ａに略垂直な方向から矢印Ｘの方向に傾斜した方向に光を照射するように配置されている。
【００３７】
このような配向性レンズ８ａは、照射する光の向きを設定することが可能なものであり、例えば、ポリカーボネート樹脂、アクリル樹脂、ガラス等の材料で構成することができる。
【００３８】
本実施形態におけるレンズ体８は、例えば接着剤等により樹脂基板６に固定されているとともに、中心にビス用貫通孔１０を有しており、樹脂基板６及び熱伝導性樹脂シート４を介して、ヒートシンク２にビス止めされている。
【００３９】
上記のような構成を有する本実施形態のヒートシンク・レンズ一体型ＬＥＤユニット１は、街灯用照明器具に用いることを想定すると、放熱性に優れていて温度上昇が少なく、また、このままの形状で販売することができ、メンテナンス性に優れていて交換が容易となる。
【００４０】
以上、本発明のヒートシンク・レンズ一体型ＬＥＤユニットの一実施形態について説明したが、本発明はこれらのみに限定されるものではない。ヒートシンク２、熱伝導性樹脂シート４、樹脂基板６及びレンズ体８の具体的な構成は、本発明の効果を損なわない範囲で適宜変更が可能であり、それらも全て本発明の技術的範囲に含まれる。
【００４１】
≪変形例≫
ここで、図３を参照して、ヒートシンク・レンズ一体型ＬＥＤユニット１の変形例を説明する。この変形例に係るヒートシンク・レンズ一体型ＬＥＤユニット１１には、図３における右側から左側にかけて、レンズ体８Ａ、８Ｂ、８Ｃ及び８Ｄが具備されている。
【００４２】
そして、レンズ体８Ａ及び８Ｃについては、上記の実施形態と同様に、配向性レンズ８ａが、第一の面２ａに略垂直な方向から矢印Ｘの方向に傾斜した方向（第一の方向）に光を照射するように配置されている。
【００４３】
これに対し、レンズ体８Ｂについては、レンズ体８Ａ及び８Ｃとは異なり、配向性レンズ８ａが、第一の面２ａに略垂直な方向から矢印Ｙ１の方向に傾斜した方向（第二の方向）に光を照射するように配置されている。
【００４４】
更に、レンズ体８Ｄについては、レンズ体８Ａ、８Ｃ及び８Ｂとは異なり、配向性レンズ８ａが、第一の面２ａに略垂直な方向から矢印Ｙ２の方向に傾斜した方向（第三の方向）に光を照射するように配置されている。
【００４５】
本変形例においては、単一のヒートシンク・レンズ一体型ＬＥＤユニット１１で、複数個のレンズ体８の一部の向きを変更することにより、このようにＬＥＤ素子複数個からの光を第一の方向、第二の方向及び第三の方向に照射することができる。もちろん、矢印Ｘに対向する方向に傾斜した方向（第四の方向）に光を照射するように構成してもよい。
【産業上の利用可能性】
【００４６】
上記の本発明に係るヒートシンク・レンズ一体型ＬＥＤユニットは、複数方向に光を照射する場合に好適に用いることができ、特に街灯用照明器具に好適に用いることができる。公共の場に設置されている街灯にあっては、ＬＥＤ素子が劣化等した場合、ヒートシンク・レンズ一体型ＬＥＤユニットごと容易に交換することができ、メンテナンス性に優れる。
【００４７】
本発明に係るヒートシンク・レンズ一体型ＬＥＤユニットは、例えば、段階的に角度を調整できる角度調整機能を有するマウントに取り付けて街灯に使用することにより、道路の幅員に応じて、好適に照射角範囲を調整することができる。
【００４８】
また、本発明に係るヒートシンク・レンズ一体型ＬＥＤユニットは、複数個を縦及び／又は横に自由に並べて使用することができ、用途や使用場所に応じて、種々の照射性能を構築することができる。
【符号の説明】
【００４９】
１、１１・・・ヒートシンク・レンズ一体型ＬＥＤユニット、
２・・・ヒートシンク、
２ａ・・・第一の面、
２ｂ・・・フィン、
４・・・熱伝導性樹脂シート、
６・・・樹脂基板、
８、８Ａ、８Ｂ、８Ｃ、８Ｄ・・・レンズ体、
８ａ・・・配向性レンズ、
１０・・・ビス用貫通孔（ビス）。
【図１】
2017079312.tif 000003
【図２】
2017079312.tif 000004
【図３】
2017079312.tif 000005
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
第一の面が略平面状で、前記第一の面に対向する第二の面に長尺状のフィン複数個が並列して設けられているヒートシンクと、
前記第一の面に積層された熱伝導性樹脂シートと、
前記熱伝導性樹脂シートのうちの前記第一の面とは反対側の面に積層された樹脂基板と、
前記樹脂基板のうちの前記熱伝導性樹脂シートとは反対側の面に配列されたＬＥＤ素子複数個と、
前記ＬＥＤ素子複数個のそれぞれを覆う配向性レンズを複数個含んで一体に構成されたレンズ体複数個と、
を具備することを特徴とするヒートシンク・レンズ一体型ＬＥＤユニット。
【請求項２】
前記レンズ体が、前記第一の面に略平行な面においてみたときに、第一の方向に配列された配向レンズ複数個を含んで一体に構成されたレンズ体、及び、第二の方向に配列された配向レンズ複数個を含んで一体に構成されたレンズ体を含むこと、
を特徴とする請求項１に記載のヒートシンク・レンズ一体型ＬＥＤユニット。
【請求項３】
前記ヒートシンクがアルミニウム又はアルミニウム合金で構成されていること、
を特徴とする請求項１又は２に記載のヒートシンク・レンズ一体型ＬＥＤユニット。
【請求項４】
前記熱伝導性樹脂シートがシリコーン樹脂で構成されていること、
を特徴とする請求項１〜３のうちのいずれかに記載のヒートシンク・レンズ一体型ＬＥＤユニット。
【請求項５】
前記樹脂基板がエポキシ樹脂銅張積層板で構成されていること、
を特徴とする請求項１〜４のうちのいずれかに記載のヒートシンク・レンズ一体型ＬＥＤユニット。
【請求項６】
請求項１〜５のうちのいずれかに記載のヒートシンク・レンズ一体型ＬＥＤユニットを含む街灯用照明器具。
【手続補正２】
【補正対象書類名】明細書
【補正対象項目名】００１０
【補正方法】変更
【補正の内容】
【００１０】
即ち、本発明は、
第一の面が略平面状で、前記第一の面に対向する第二の面に長尺状のフィン複数個が並列して設けられているヒートシンクと、
前記第一の面に積層された熱伝導性樹脂シートと、
前記熱伝導性樹脂シートのうちの前記第一の面とは反対側の面に積層された樹脂基板と、
前記樹脂基板のうちの前記熱伝導性樹脂シートとは反対側の面に配列されたＬＥＤ素子複数個と、
前記ＬＥＤ素子複数個のそれぞれを覆う配向性レンズを複数個含んで一体に構成されたレンズ体複数個と、
を具備することを特徴とするヒートシンク・レンズ一体型ＬＥＤユニット、
を提供する。
【手続補正３】
【補正対象書類名】明細書
【補正対象項目名】００１１
【補正方法】変更
【補正の内容】
【００１１】
このような構成を有する本発明のヒートシンク・レンズ一体型ＬＥＤユニットは、街灯用照明器具に用いた場合に、放熱性に優れて温度上昇が少なく、また、劣化したＬＥＤ素子の交換及び照射する光の向きにおける再設定が容易でメンテナンス性に優れるものである。
【手続補正４】
【補正対象書類名】明細書
【補正対象項目名】００１２
【補正方法】変更
【補正の内容】
【００１２】
上記の本発明のヒートシンク・レンズ一体型ＬＥＤユニットにおいては、前記レンズ体が、前記第一の面に略平行な面においてみたときに、第一の方向に配列された配向レンズ複数個を含んで一体に構成されたレンズ体、及び、第二の方向に配列された配向レンズ複数個を含んで一体に構成されたレンズ体を含むこと、が好ましい。
【手続補正５】
【補正対象書類名】明細書
【補正対象項目名】００２０
【補正方法】変更
【補正の内容】
【００２０】
本発明によれば、放熱性に優れていて温度上昇が少なく、メンテナンス性に優れていてユニットの交換及び光の配向における変更が容易なヒートシンク・レンズ一体型ＬＥＤユニット及びこれを含む街灯用照明器具を実現することができる。
【手続補正６】
【補正対象書類名】明細書
【補正対象項目名】００４２
【補正方法】変更
【補正の内容】
【００４２】
そして、レンズ体８Ａ及び８Ｃについては、上記の実施形態と同様に、配向性レンズ８ａが、第一の面２ａに略垂直な方向から矢印Ｘの方向に傾斜した方向（第一の向き）に光を照射するように配置されている。
【手続補正７】
【補正対象書類名】明細書
【補正対象項目名】００４３
【補正方法】変更
【補正の内容】
【００４３】
これに対し、レンズ体８Ｂについては、レンズ体８Ａ及び８Ｃとは異なり、配向性レンズ８ａが、第一の面２ａに略垂直な方向から矢印Ｙ１の向きに傾斜した方向（第二の向き）に光を照射するように配置されている。
【手続補正８】
【補正対象書類名】明細書
【補正対象項目名】００４４
【補正方法】変更
【補正の内容】
【００４４】
更に、レンズ体８Ｄについては、レンズ体８Ａ、８Ｃ及び８Ｂとは異なり、配向性レンズ８ａが、第一の面２ａに略垂直な方向から矢印Ｙ２の向きに傾斜した方向（第三の向き）に光を照射するように配置されている。
【手続補正９】
【補正対象書類名】明細書
【補正対象項目名】００４５
【補正方法】変更
【補正の内容】
【００４５】
本変形例においては、単一のヒートシンク・レンズ一体型ＬＥＤユニット１１で、複数個のレンズ体８の一部の向きを変更することにより、このようにＬＥＤ素子複数個からの光を第一の向き、第二の向き及び第三の向きに照射することができる。もちろん、矢印Ｘに対向する向きに傾斜した向き（第四の向き）に光を照射するように構成してもよい。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
第一の面が略平面状で、前記第一の面に対向する第二の面に長尺状のフィン複数個が並列して設けられているヒートシンクと、
前記第一の面に積層された熱伝導性樹脂シートと、
前記熱伝導性樹脂シートのうちの前記第一の面とは反対側の面に積層された樹脂基板と、
前記樹脂基板のうちの前記熱伝導性樹脂シートとは反対側の面に配列されたＬＥＤ素子複数個と、
前記ＬＥＤ素子複数個のそれぞれを覆う配向性レンズを複数個含んで一体に構成されたレンズ体を複数個と、
を具備し、
前記レンズ体が、前記第一の面に略平行な面においてみたときに、第一の方向に配列された配向性レンズ複数個を含んで一体に構成されたレンズ体、及び、第二の方向に配列された配向性レンズ複数個を含んで一体に構成されたレンズ体を含み、
照明器具に取外し可能に用いられることを特徴とするヒートシンク・レンズ一体型ＬＥＤユニット。
【請求項２】
前記ヒートシンクがアルミニウム又はアルミニウム合金で構成されていること、
を特徴とする請求項１に記載のヒートシンク・レンズ一体型ＬＥＤユニット。
【請求項３】
前記熱伝導性樹脂シートがシリコーン樹脂で構成されていること、
を特徴とする請求項１又は２に記載のヒートシンク・レンズ一体型ＬＥＤユニット。
【請求項４】
前記樹脂基板がエポキシ樹脂銅張積層板で構成されていること、
を特徴とする請求項１〜３のうちのいずれかに記載のヒートシンク・レンズ一体型ＬＥＤユニット。
【請求項５】
請求項１〜５のうちのいずれかに記載のヒートシンク・レンズ一体型ＬＥＤユニットを含む街灯用照明器具。
【手続補正２】
【補正対象書類名】明細書
【補正対象項目名】００１０
【補正方法】変更
【補正の内容】
【００１０】
即ち、本発明は、
第一の面が略平面状で、前記第一の面に対向する第二の面に長尺状のフィン複数個が並列して設けられているヒートシンクと、
前記第一の面に積層された熱伝導性樹脂シートと、
前記熱伝導性樹脂シートのうちの前記第一の面とは反対側の面に積層された樹脂基板と、
前記樹脂基板のうちの前記熱伝導性樹脂シートとは反対側の面に配列されたＬＥＤ素子複数個と、
前記ＬＥＤ素子複数個のそれぞれを覆う配向性レンズを複数個含んで一体に構成されたレンズ体複数個と、
を具備し、
前記レンズ体が、前記第一の面に略平行な面においてみたときに、第一の方向に配列された配向性レンズ複数個を含んで一体に構成されたレンズ体、及び、第二の方向に配列された配向性レンズ複数個を含んで一体に構成されたレンズ体を含み、
照明器具に取外し可能に用いられることを特徴とするヒートシンク・レンズ一体型ＬＥＤユニット、
を提供する。
【手続補正３】
【補正対象書類名】明細書
【補正対象項目名】００１２
【補正方法】削除
【補正の内容】